(57)【要約】      （修正有）【課題】携帯用カード収納具において、スキミング機器から放射される電磁波等の透過を防ぎ、カード所有者が気付かないうちにカード情報がスキミングされるのを防止することができる携帯用カード収納具を提供する。【解決手段】定期入れ１の外表面２ａには、電磁波の透過を防止する電磁波シールド材３を被覆している。この電磁波シールド材３は、外表面２ａ全面に亘って被覆され、定期入れ１を折り畳んだ状態で、定期入れ１内部に電磁波が透過しないように構成している。【選択図】  図１
2006110032.tif 000002
【特許請求の範囲】
【請求項１】
情報を記録したカードを内部に収納する携帯用カード収納具であって、
外部からの電磁波の透過を防ぐ電磁波透過防止手段を設けた
携帯用カード収納具。
【請求項２】
前記電磁波透過防止手段を、強磁性体、又は強磁性体の混合物で構成した
請求項１記載の携帯用カード収納具。
【請求項３】
前記携帯用カード収納具を、折り畳み構造で構成し、
前記電磁波透過防止手段を、該携帯用カード収納具を折り畳んだ状態で外側面だけに位置するように設けた
請求項１又は２記載の携帯用カード収納具。
【請求項４】
前記電磁波透過防止手段を、携帯用カード収納具の外表面に設けた
請求項１〜３記載の携帯用カード収納具。
【請求項５】
前記電磁波透過防止手段を、携帯用カード収納具の内部に組み込んだ
請求項１〜３記載の携帯用カード収納具。
【請求項６】
前記電磁波透過防止手段を、前記カードよりも柔軟性のある部材で構成した
請求項１〜５記載の携帯用カード収納具。
【請求項７】
前記携帯用カード収納具内に、前記カードを収納する収納ポケットを有するシート部材を設け、
該シート部材の基材を電磁波透過防止手段で構成した
請求項１〜６記載の携帯用カード収納具。
【発明の詳細な説明】
【技術分野】
【０００１】
この発明は、磁気カードやＩＣカード等の情報を記録するカードを携帯する際に用いる携帯用カード収納具、例えば定期入れ、財布、カード入れ、名刺入れ、システム手帳等の携帯用カード収納具に関する。
【背景技術】
【０００２】
近年、クレジットカードやキャッシュカードさらには定期券などで、情報を記録する磁気カードやＩＣカードが普及して、売買決済などを現金を用いずに行うことができ、利便性を高めている。
【０００３】
しかし、このようにカードが普及してくると、カードに記録した情報を、端末装置に取付けた不正読み取り機で盗み取る、いわゆる「スキミング」といった行為横行し、カードが偽造されたり、情報が書き換えられるといった問題が社会問題化している。
【０００４】
この問題に対して、端末装置でのカード情報の読取りの際に「スキミング」が行われるとの前提で、従来、下記特許文献１では、端末装置にスキミング防止機能を設けてスキミングを防止したり、また下記特許文献２では、不正読み取り機の取付けを端末装置自身が検出し、動作を停止させてスキミングを防止する方法等が提案されていた。
【０００５】
【特許文献１】特開２００３−２２３６２０号公報
【特許文献２】特開２００４−０５４６７０号公報
【発明の開示】
【発明が解決しようとする課題】
【０００６】
しかしながら、スキミング技術は進歩しており、端末装置でカード情報を読取る時以外でも、スキミングできる機器が開発されつつある。例えば、電磁波等を照射して服の上からカードに非接触でスキミングを行う機器等が考えられている。
【０００７】
このように、カードに非接触でスキミングが行われると、例えば満員電車の乗車中などにカード所有者が気付かないうちに、カード情報がスキミングされるおそれが生じる。
【０００８】
すなわち、カード所有者は、一般に磁気カードやＩＣカードを、財布や定期入れ等の携帯用カード収納具に入れて携帯しているが、これら携帯用カード収納具は、革や布等で構成されているため、スキミング機器から照射される電磁波等を透過させてしまい、カード所有者が気付かないうちにカード情報がスキミングされるのである。
【０００９】
そこで、この発明は、携帯用カード収納具において、スキミング機器から放射される電磁波等の透過を防ぎ、カード所有者が気付かないうちにカード情報がスキミングされるのを防止することができる携帯用カード収納具を提供することを目的とする。
【課題を解決するための手段】
【００１０】
この発明の携帯用カード収納具は、情報を記録したカードを内部に収納する携帯用カード収納具であって、外部からの電磁波の透過を防ぐ電磁波透過防止手段を設けたものである。
【００１１】
上記構成によれば、電磁波透過防止手段を設けたことにより、携帯用カード収納具が外部からの電磁波の透過を防ぐことになる。
【００１２】
すなわち、この携帯用カード収納具によれば、外部からの電磁波の透過を防ぐことができるため、カード情報が、スキミング機器からの電磁波から保護されるのである。
【００１３】
なお、ここで電磁波透過防止手段とは、外部からの電磁波の透過が若干でも防げるものであれば足り、例えば、アルミニウム等の金属類であってもよい。又、銀などをコーティングした電磁波シールドや磁気を透過しない磁気シールド等も含む概念である。
【００１４】
さらに、形状等についても、板状、布状、メッシュ状、繊維状等、どのような形状であってもよい。液体状のものであれば、携帯用カード収納具の素材に、直接塗布、吹き付け、含侵、蒸着等をして、完全に携帯用カード収納具に一体化してもよい。
【００１５】
この発明の一実施態様においては、前記電磁波透過防止手段を、強磁性体、又は強磁性体の混合物で構成したものである。
【００１６】
上記構成によれば、強磁性体、又は強磁性体の混合物で、外部からの電磁波の透過を防止することになる。
【００１７】
このため、外部からの電磁波が、強磁性体、又は強磁性体の混合物によって、吸収又は減衰されるため、電磁波の内部への透過を確実に阻止することができる。
【００１８】
よって、より確実に、スキミング機器から放射される電磁波等の透過を防ぐことができ、カード情報がカード所有者が気付かないうちにスキミングされるのを防止することができる。
【００１９】
なお、ここでの強磁性体としては、鉄やケイ素、コバルト、ニッケル等の金属類が挙げられる。また形状については、粉状や糸状、繊維状であってもよい。
【００２０】
この発明の一実施態様においては、前記携帯用カード収納具を、折り畳み構造で構成し、前記電磁波透過防止手段を、該携帯用カード収納具を折り畳んだ状態で外側面だけに位置するように設けたものである。
【００２１】
上記構成によれば、折り畳み構造で携帯用カード収納具を構成し、電磁波透過防止手段を、折り畳んだ状態で外側面だけに位置するように設けたため、折り畳んだ状態で、電磁波透過防止手段が機能して、電磁波の通過を防ぎつつ、携帯用カード収納具を開いた状態で、電磁波の通過を許容することになる。
【００２２】
このため、端末装置に対し、非接触で情報のやり取りを行うようなカード（例えば定期券等の非接触式カード）を携帯している場合は、携帯用カード収納具を開いてかざすだけで、端末装置と情報のやり取りを行うことができる。
【００２３】
よって、非接触で情報のやり取りを行うようなカードを携帯している場合には、その都度、カードを携帯用カード収納具から取り出すことなく無く情報のやり取りを行うことができ、携帯時には、電磁波の透過を防いで、スキミングの防止を図ることができる。
【００２４】
この発明の一実施態様においては、前記電磁波透過防止手段を、携帯用カード収納具の外表面に設けたものである。
【００２５】
上記構成によれば、携帯用カード収納具の外表面に電磁波透過防止手段を設けたため、携帯用カード収納具の外表面において、外部からの電磁波の透過を防ぐことになる。
【００２６】
このため、携帯用カード収納具内には全く電磁波が透過しないため、収納具内に磁力を溜め込むおそれがない。
【００２７】
よって、長期間、携帯用カード収納具内にカードを入れていたとしても、磁力によるカード情報の劣化が生じることがない。
【００２８】
さらに、この構成によれば、携帯用カード収納具の略全周面を電気的に単一（同電位）の電磁波透過防止手段で覆う構成となり、確実なスキミング防止を図ることができる。
【００２９】
この発明の一実施態様においては、前記電磁波透過防止手段を、携帯用カード収納具の内部に組み込んだものである。
【００３０】
上記構成によれば、携帯用カード収納具の内部に電磁波透過防止手段を組み込んだため、携帯用カード収納具の外表面に電磁波透過防止手段が露出しないことになる。
【００３１】
このため、携帯用カード収納具の外表面を、従来と同様に革や布で構成することができ、デザイン自由度を確保することができる。
【００３２】
よって、携帯用カード収納具の外表面のデザイン自由度を確保しつつも、電磁波の透過を防いで、スキミングの防止を図ることができる。
【００３３】
この発明の一実施態様においては、前記電磁波透過防止手段を、前記カードよりも柔軟性のある部材で構成したものである。
【００３４】
上記構成によれば、カードよりも柔軟性のある部材で電磁波透過防止手段を構成することになる。
【００３５】
このため、携帯用カード収納具に電磁波透過防止手段を設けても、携帯用カード収納具の柔軟性を悪化させることはなく、カード所有者が携帯する際に嵩張らず、持ち運びの利便性を確保できる。
【００３６】
よって、携帯用カード収納具の持ち運びの利便性を確保しつつも、電磁波の透過を防いで、スキミングの防止を図ることができる。
【００３７】
この発明の一実施態様においては、前記携帯用カード収納具内に、カードを収納する収納ポケットを有するシート部材を設け、該シート部材の基材を電磁波透過防止手段で構成したものである。
【００３８】
上記構成によれば、電磁波透過防止手段で基材を構成したシート部材の収納ポケットに、カードを収納することになる。
【００３９】
このため、収納ポケットに収納したカードのみが電磁波透過防止手段で覆われて、その他の部分では電磁波の透過を許容することになるため、電磁波透過の防止が必要なカードを適切に保護しつつも、その他の部分では非接触でカードの情報のやり取りを行うことができる。
【００４０】
よって、スキミングされて影響が大きいカード（例えば、クレジットカード、電子マネーカード等）では、電磁波透過防止手段でカード情報を保護しつつも、非接触で情報のやり取りを頻繁に行うカード（例えば、定期券、入場パス等）では、携帯用カード収納具から取り出さずに情報のやり取りを行うという利便性を確保することができる。
【発明の効果】
【００４１】
この発明によれば、外部からの電磁波の透過を防ぐことができるため、カード情報が、スキミング機器からの電磁波から保護される。
【００４２】
したがって、携帯用カード収納具において、スキミング機器から放射される電磁波等の透過を防ぎ、カード所有者が気付かないうちにカード情報がスキミングされるのを防止することができる。
【発明を実施するための最良の形態】
【００４３】
以下、図面に基づいて本発明の実施形態を詳述する。  
まず、図１〜図３に示す第一実施形態について説明する。図１は定期券やクレジットカードなどを入れる定期入れの全体斜視図、図２の（ａ）はこの定期入れを開いた状態における外表面側の斜視図、（ｂ）は内表面側の斜視図である。図３はこの定期入れに収納する磁気カード及びＩＣカードを説明する斜視図である。
【００４４】
図１に示すように、本実施形態の定期入れ１は、矩形形状の二つ折りの定期入れ１であり、折り畳んだ状態で、服のポケットに入れて携帯できる程度の大きさに構成している。
【００４５】
この定期入れ１は、表面皮２を牛革で構成し、この牛革を形崩れしない程度の剛性（厚み）に設定し構成している。
【００４６】
そして、定期入れ１の外表面２ａには、電磁波の透過を防止する電磁波シールド材３を被覆している。この電磁波シールド材３は、図２（ａ）に示すように外表面２ａ全面に亘って被覆され、定期入れ１を折り畳んだ状態で定期入れ１内部に電磁波が透過しないように構成している。
【００４７】
ここで電磁波シールド材３は、メッシュ状の生地に高純度の銀をコーティングしたものを用いて構成している。なお、この電磁波シールドは、電磁波の透過を防止するシールド材であれば、特にこうした構成に限定されるものではない。
【００４８】
また、電磁波シールド材３の被覆方法は、表面皮２に対して縫合又は貼着することによって行っている。
【００４９】
一方、定期入れ１の内表面２ｂには、通常の定期入れ同様に、定期券Ｐを差し込む定期券収納部４を一方の見開きに設け、複数のカードＣ…を差し込むカード収納部５を他方の見開きに設けている。
【００５０】
前述の定期券収納部４には、透明な板材４１（例えばＰＥＴ（ポリエチレン・テレフタレート））が嵌め込まれ、定期券Ｐを差し込んだ状態でも、定期券Ｐの券面表示が目視できるようになっている。また、この透明な板材４１の中央部には、定期券Ｐの取出しを容易に行えるように開口部４２を設けている。
【００５１】
前述のカード収納部５は、複数の切り込み５１…を設け、この切り込み５１にカードＣを差し込むことで、複数のカードＣ…を収納するように構成している。
【００５２】
この内表面２ｂには、外表面２ａと異なり、電磁波シールド材３を被覆しておらず、牛革のままで構成している。このため、定期入れ１を開いた状態では、電磁波の透過は許容され、カード情報は保護されない。
【００５３】
しかし、開いた状態で電磁波の透過が許容されるため、非接触で端末装置（図示せず）と情報のやり取りを行う定期券Ｐを携帯している場合には、その都度定期入れ１から取り出す必要がなく、定期入れ１を開いた状態で情報のやり取りが行え、利便性を高めることができる。
【００５４】
また、非接触の定期券Ｐを複数枚携帯している場合には、各見開きの収納部４，５にそれぞれ定期券Ｐを収納して、折り畳み方向と逆の方向に折り曲げた状態で、端末装置と情報のやり取りを行わせることで、電磁波シールド材３が、各定期券Ｐの間での電波の遮蔽機能を果たすため、各定期券Ｐにおける情報のやり取りが、互いに干渉されず、スムーズに行なわれることになる。
【００５５】
この定期入れ１に収納して携帯するカードＣは、図３に示すようなＩＣカードＣ１や磁気カードＣ２である。これらのカードＣ１，Ｃ２は、プラスチック製のカード体６，６に情報記録媒体を設け、情報を記録するように構成している。
【００５６】
ＩＣカードＣ１は、カード体６の周縁部にアンテナコイル６１を設け、そのアンテナコイル６１の端部にＩＣチップ６２を設けている。このＩＣチップ６２にメモリ（情報記憶媒体）を内蔵しており、このメモリ内の情報を読み取ることで、端末装置と情報のやり取りを行う。
【００５７】
なお、具体的なＩＣカードＣ１と端末装置との情報のやり取りは公知であるため、説明を省略する。
【００５８】
また、磁気カードＣ２は、カード体６に一条の磁気ストライプ６３（情報記録媒体）を設け、この磁気ストライプ６３に情報を記録している。この磁気ストライプ６３の情報を読み取ることで、端末装置と情報のやり取りを行う。
【００５９】
なおＩＣカードＣ１同様、磁気カードＣ２と端末装置の情報のやり取りも、公知であるため、説明を省略する。
【００６０】
これらのカードＣ１，Ｃ２に対して、スキミング機器から電磁波等が照射されることで、メモリや磁気ストライプ６３に記録された情報がスキミングされ、カードの偽造が行われたり、また、これらの情報の書き換え等が行われる。
【００６１】
本実施形態の定期入れ１では、このスキミング機器からの電磁波等の透過を、電磁波シールド材３を被覆していることで防ぐことができる。よって、ＩＣカードＣ１や磁気カードＣ２のカード情報をスキミングから防ぐことができる。
【００６２】
なお、非接触式のＩＣカードには、データ伝送距離（電波飛距離）が、２ｍｍ以下のものから１０００ｍｍ以上のものまで様々あるが、本実施形態の定期入れ１であれば、外部からの電磁波の透過を確実に防止することができるため、あらゆる非接触式のＩＣカードにおいて、カード情報のスキミングを防ぐことができる。
【００６３】
したがって、本実施形態の定期入れ１によれば、カード所有者が気付かないうちに、カード情報がスキミングされるといったおそれをなくすことができる。
【００６４】
また、本実施形態の定期入れ１では、定期入れ１の外表面２ａに電磁波シールド材３を被覆しているため、定期入れ１内には全く電磁波が透過しない。よって、定期入れ１内に磁力を溜め込むおそれもないため、長期間、カードＣを定期入れ１に入れていたとしても、カード情報の情報劣化が生じることはない。
【００６５】
さらに、この構成によれば、定期入れ１の略全周面を電気的に単一（同電位）の電磁波シールド材３で覆う構成となるため、定期入れ１内部を電磁波が全く通過しない状態にできるため、確実にスキミング防止を図ることができる。
【００６６】
また、本実施形態の定期入れ１では、電磁波シールド材３をカードＣよりも柔軟性のあるメッシュ状部材で構成しているため、電磁波シールド材３を定期入れ１に被覆したとしても嵩張る事が無く、持ち運びの利便性を確保できる。
【００６７】
次に、図４に示す第二実施形態について説明する。  
この第二実施形態は、第一実施形態と同様の定期入れ１であるが、外表面２ａだけではなく、内表面２ｂにも電磁波シールド材３を被覆しているものである。その他、第一実施形態と同一の構成要素については、同じ符号を付して説明を省略する。
【００６８】
この第二実施形態の定期入れ１０は、内表面２ｂも含めて電磁波シールド材３を被覆している。電磁波シールド材３の構成や被覆方法は、第一実施形態と同様である。
【００６９】
このように、内表面２ｂも含めて全て電磁波シールド材３を被覆することにより、定期入れ１を折畳んだ状態でも、開いた状態でも、外部からの電磁波の透過を防ぐことができる。このため、この定期入れ１にカードＣを収納していれば、確実に電磁波の透過からカード情報を保護することができる。
【００７０】
よって、本実施形態の定期入れ１によれば、より完全にカード情報のスキミングを防止することができる。
【００７１】
なお、内表面２ｂ全面ではなく一部にのみ電磁波シールド材３を被覆して、電磁波の透過を許容する部分を設けることで、第一実施形態と同様、非接触式カードの情報通信の際の利便性を高めることができる。
【００７２】
次に、図５、６に示す第三実施形態について説明する。図５は本実施形態の財布の全体斜視図、図６は財布を開いた状態における内表面側の斜視図である。
【００７３】
この第三実施形態は、財布７にスキミングを防止する構造を設けたものである。  
この実施形態の財布７は、図５に示すように、矩形形状の二つ折りの財布７であり、折り畳んだ状態で、服のポケットに入れて携帯できる程度の大きさに構成している。
【００７４】
この財布７も、表面皮８を牛革で構成し、この牛革も形崩れしない程度の剛性（厚み）に設定し構成している。
【００７５】
この財布７には、図５に示すように、内表面８ｂの一方の見開きに複数のカードＣ…を収納するカード収納部９を設け、他方の見開きに硬貨等収納する硬貨収納部１１を設けている。
【００７６】
この財布７では、表面皮８の側端面に二つの差込みスリット８１，８１を設け、各差込みスリット８１，８１から、薄い矩形状の二枚の鉄板１２，１２を表面皮８の中に組み込むことで、電磁波の透過を防止している。
【００７７】
すなわち、表面皮８の中に鉄板１２，１２を組み込むことで、鉄の強磁性体という性質を利用して、外部から照射された電磁波を吸収又は減衰して、財布７内に電磁波が透過するのを防止しているのである。
【００７８】
なお、鉄板１２，１２を二枚設けたのは、財布７を折畳んだ状態でカードＣの外側で鉄板１２，１２を位置させることで、確実に電磁波の透過を防ぐようにするためである。
【００７９】
また、この鉄板１２，１２は、差込みスリット８１，８１を閉封しない限り、取り外すことができる。よって、鉄板１２，１２を取り外した場合には、通常の財布７と同様に取り扱うことができる。
【００８０】
本実施形態の財布７では、このように薄い鉄板１２，１２を表面皮８の中に組み込むことで、電磁波の透過を防止しているため、外観上、通常の財布と同様の外観を呈する。よって、財布自体のデザイン自由度を確保した上で、電磁波の透過を防いで、スキミングの防止を図ることができる。
【００８１】
また、本実施形態の財布７では、鉄板１２，１２を用いることで、電磁波を吸収又は減衰して透過を防いでいるため、より確実に透過を阻止して、スキミングを防止できる。
【００８２】
なお、鉄板１２，１２の代わりに、アルミニウム板やニッケル板、コバルト板等の金属板を用いても、同様の効果を得ることができる。
【００８３】
さらに、上記鉄板１２，１２同士を電気的に接続する接続線１３，１３（図５参照）を設けることができる。これにより、電磁波から保護すべき対象であるカードの略全周面を電気的に単一の磁性体で囲う（覆う）ことができるので、カード部分を電磁波が全く通過しない状態にして、より確実にスキミング防止を図ることができる。
【００８４】
さらに、布状やメッシュ状の金属繊維を表面皮８の中に組み込むことでも、同様の効果を得ることができる。
【００８５】
次に、図７に示す第四実施形態について説明する。（ａ）は、本実施形態のカード入れを開いた状態の全体斜視図、（ｂ）はこのカード入れ内の収納シートの一側面を示した図である。
【００８６】
この第四実施形態は、カード入れ２０にスキミングを防止する構造を設けたものである。  
この実施形態のカード入れ２０は、（ａ）に示すように、中央で複数の収納シートを固定する矩形形状の二つ折りのカード入れ２０であり、折り畳んだ状態で、服のポケットに入れて携帯できる程度の大きさに構成している（折り畳んだ状態は図示せず）。
【００８７】
このカード入れ２０は、表面皮２１を軟性の合成樹脂で構成し、形崩れしない程度の剛性に設定し構成している。
【００８８】
そして、このカード入れ２０の内部には、（ｂ）に示す収納シート２２を、複数枚（本実施形態では４枚）それぞれが、自由に展開するように一端部を固定して構成している。
【００８９】
収納シート２２は、矩形状の電磁波シールド材２３で基材を構成し、その側縁部にカード入れ２０に固定する固定シロ２４を設けている。また、基材の表面には、透明なビニール状のポケット表皮２５を設け、その両側縁と下縁を基材に固定することでポケット部２６を構成している。
【００９０】
なお、（ｂ）では、収納シート２２の一面のみを示しているが、他面についても同様の構成で、ポケット部２６を構成している。
【００９１】
このように構成したポケット部２６に、上方からカードＣを差し込むことで、カードＣを収納することができる。収納シート２２の両面にカードＣを収納することで、一枚の収納シート２２に二枚のカードＣを収納することになる。
【００９２】
この収納シート２２で、カードＣを収納すると、カードＣの背面側（一面側）に、直接、電磁波シールド材２３が位置することになる。このため、カードＣの背面側（一面側）からの電磁波に対しては、透過を防ぎ、カードＣの正面側（他面側）からの電磁波に対しては、透過を許容することになる。
【００９３】
よって、この収納シート２２を複数重ねた場合には、外端の外側面のポケット部２６では、電磁波の透過が許容され、各収納シート２２…の間に挟まれたポケット部２６では、電磁波が透過が防止されることになる。
【００９４】
したがって、カード入れ２０を折り畳んだ状態において、最も外側の収納シート２２の外側のポケット部２６で、外部との情報のやり取りを行うことができ、各収納シート２２…の間に挟まれたポケット部２６では、スキミングを防止することができる。
【００９５】
こうしたことから、この実施形態のカード入れ２０では、定期券や入場パスのような非接触で情報のやり取りを頻繁に行うカードＣを、最も外側の収納シート２２の外側のポケット部２６ａに収納し、クレジットカードや電子マネーカードのようにスキミング防止要求の高いカードを各収納シート２２…の間に挟まれたポケット部２６ｂに収納することにより、スキミング防止機能を図りつつも、カード入れ２０から取り出さずに情報のやり取りを行うという非接触式カードの利便性を確保することができる。
【００９６】
また、このカード入れ２０では、各カードＣの間に電磁波シールド材２３を配置しているため、端末装置との情報のやり取りの際、各カード間で干渉が生じないため、スムーズに情報通信を行うことができる。
【００９７】
なお、この実施形態では、一枚のカードＣを一つのポケット部２６で収納するように構成したが、収納シート２２にポケット部２６を複数設け、複数枚のカードを一つの収納シート２２で収納するように構成してもよい。
【００９８】
また、収納シート２２…の一面にのみカードＣを収納するポケット部２６を設けるように構成してもよい。
【００９９】
さらに、カード入れ２０の外表面に、第一実施形態と同様に電磁波シールド材を被覆してもよい。この場合には、カード入れ２０を折り畳んだ状態での外部との情報のやり取りが行えなくなるが、スキミング防止性能を重視する場合には、こうした構成を採ってもよい。
【０１００】
以上の実施形態以外には、例えば、定期入れ１，１０や財布７を構成する革や布等に、直接電磁波シールドの機能を有する液体を塗布、吹き付け、含侵、蒸着してもよい。
【０１０１】
この場合には、従来の定期入れ１，１０や財布７をそのまま利用して、スキミングを防止することができる。
【０１０２】
以上、この発明の構成と、前述の実施形態との対応において、
この発明の携帯用カード収納具は、実施形態の定期入れ１、定期入れ１０、財布７、カード入れ２０に対応し、
以下同様に、
電磁波透過防止手段は、電磁波シールド材３、鉄板１２，１２、電磁波シールド材２３に対応するも、
この発明は、前述の実施形態の構成のみに限定されるものではなく、例えば、カードＣを内部に収納する携帯用具であれば、名刺入れ、システム手帳等で適用してもよい。
【図面の簡単な説明】
【０１０３】
【図１】第一実施形態の定期入れの全体斜視図。
【図２】（ａ）定期入れを開いた状態の外表面側の斜視図、（ｂ）内表面側の斜視図。
【図３】磁気カード及びＩＣカードを説明する斜視図。
【図４】図２に対応する第二実施形態の斜視図。
【図５】第三実施形態の財布の全体斜視図。
【図６】財布を開いた状態の内表面側の斜視図。
【図７】（ａ）第四実施形態のカード入れを開いた状態の全体斜視図、（ｂ）収納シートの一側面を示した図。
【符号の説明】
【０１０４】
Ｃ…カード
Ｃ１…ＩＣカード
Ｃ２…磁気カード
１，１０…定期入れ（携帯用カード収納具）
３…電磁波シールド材（電磁波透過防止手段）
７…財布（携帯用カード収納具）
１２…鉄板（電磁波透過防止手段）
２０…カード入れ（携帯用カード収納具）
２３…電磁波シールド材（電磁波透過防止手段）
【図１】
2006110032.tif 000003
【図２】
2006110032.tif 000004
【図３】
2006110032.tif 000005
【図４】
2006110032.tif 000006
【図５】
2006110032.tif 000007
【図６】
2006110032.tif 000008
【図７】
2006110032.tif 000009